Podtech/llm-jp-corpus-v4-ja_patent huggingface dataset:
(57)【要約】      （修正有）【課題】第２の心臓と称している足裏をゴルフボールで刺激できるようにする器具を提供すると共に、掌と手の指を刺激する当該ボールをこの器具で保持できるようにする。【解決手段】厚板１に適当な間隔と数と径の穴２を空けておき、これを足で踏んで足裏を刺激しても、当該ボール３が周辺に転げて、飛散しないようにする。【選択図】図１
2006130246.tif 000002
【特許請求の範囲】
【請求項１】
４個のゴルフボール（３）に、荷重を掛けて回転させられるよう、直方体の器具（１）に、４個の穴（２）を直列に空けておき、足裏を刺激させたり、重量物の室内搬送に供し得るようにしたことを特長とする器具。
【発明の詳細な説明】
【発明の詳細な説明】
【０００１】［発明の属する技術分野］
この発明は、足裏でゴルフボールを押し付けながら回転させて足裏を刺激しながら、これらのゴルフボール２個を握って、掌と指で回転させて、指の強張りの緩和もできるようにすると共に、重量物の室内搬送用にも供し得るようにした器具に関するものである。
【０００２】［従来の技術］
従来のこの種の道具に、青竹踏みや、足の裏面に当たる部分の全面に、突起を配したスリッパ等があった。重量物の室内搬送用器具は、特に無かった。
【０００３】［発明が解決しようとする課題］
イ．青竹踏みの場合は、突起の無い分、足裏ツボを押す効果が弱い。
ロ．突起を足の裏面全面に配したスリッパだと、足裏ツボを押す効果が弱い。
本発明は、以上の欠点を解決する為に為されたものである。
【０００４】［課題を解決する為の手段］
４個の穴（２）を空けた器具（１）で、ゴルフボール（３）を保持回転し得るようにしておく。必要に応じ、いずれか２個で足裏と手の刺激に使い分けたり、４個全部を足裏刺激に使ったり、重量物の室内搬送用器具としても使う。
【０００５】［発明の実施の形態］
以下、本発明の実施の形態を説明する。
イ．器具（１）に、４個の穴（２）を空けてゴルフボール（３）を入れ、自由に回転させられるようにし、足で踏んで転がしたり、室内で重量物を載せて移動させても、ゴルフボール（３）が周辺に飛散しないようにしておく。
ロ．左右端のゴルフボール（３）を左右の足で押さえ付けながら、前後左右に足を移動させて、足裏の当てたい場所を自由に変えて、足裏を刺激する。片足ずつでもよい。このとき、内側の穴（２）にある別の２個（３）を、手指で回転させて、掌と手指の刺激も可能だし、近接状態に配置してある為、４個同時に使って足裏の刺激ができるようにもなっている。
ハ．器具（１）の縦×横×厚さ×穴上下直径×左右の穴（２）の間隔等の標準寸法は、２２．５×７×２×４．５×３．５×１６各ｃｍである。
ニ．左右２個の穴（２）の間に、掌用にも使えるボールを載せておく穴（２）の標準間隔を、５ｃｍの状態で空けてあり、この２個で手の刺激ができるようになっている。勿論、４個全部を足の刺激に使っても構わない。
ホ．この４個の穴（２）は逆円錐形とし、ゴルフボール（３）を器具（１）に載せて、部屋から部屋へ、持ち運びできるようにしておくと便利だが、逆円錐形に拘るものでも無い。
本発明は、以上の構成よりなっている。
【０００６】［発明の効果］
「第２の心臓」と言われる足裏の刺激による効果は、足裏の血行促進と疲労回復でリラックス感が得られ、全身に活力がみなぎってきます。是が、ソファに座って、テレビを観ながらや、読書・会話をしながらできるのだから、その効用たるや推して知るべし。同時に、掌に２個のゴルフボールを持って、手指で回転させると、手指の運動もでき、手指の強張りの緩和と防止に効果がある。足浴しながら、湯船の縁に腰掛けて手足のツボを刺激するとより効果が増す。片足立ちで、片足に強い力も掛けられる。更に、室内で重量物を移動させたい時には、この器具を数セット使って、ゴルフボールを「ころ」代わりにして、こうした重量物を室内で移動させる用に供させることもできる。
【図面の簡単な説明】［図１］
本発明の斜視図
［図２］
本発明の断面図
【符合の説明】
１  本発明のゴルフボール保持器具
２  ゴルフボール保持穴
３  ゴルフボール
【図１】
2006130246.tif 000003
【図２】
2006130246.tif 000004
(57)【要約】【課題】床面に足を垂れ下げた腰掛状態になるベッドにおいて座位の状態では、ベッドの幅が広いため病弱者がベッドの両側フレームに取付けられた手摺を掴めないことがあり、そのため座位を保持できない場合があった。【解決手段】ベッドの両側フレームに取付けられた手摺に人体の肩幅かつ背中の位置まで設けた手摺、及び人体の足側に伸長する手摺を内蔵する。【選択図】図９
2006130249.tif 000002
【特許請求の範囲】
【請求項１】
床面に足を垂れ下げた腰掛状態になるベッドにおいて、ベッドの手摺を人体の肩幅かつ背中の位置まで設けることを特徴とする手摺。
【請求項２】
床面に足を垂れ下げた腰掛状態になるベッドにおいて、ベッドの手摺を人体の肩幅かつ背中の位置に設け、その手摺を人体の足側に延長したことを特徴とする手摺。
【発明の詳細な説明】
【技術分野】
【０００１】本発明は病弱者が使用するベッドに関する。
【背景技術】
【０００２】床面に足を垂れ下げた腰掛状態になるベッドにおいて座位の状態では、ベッドの幅が広いため病弱者がベッドに設けてある手摺を掴めない事があり、そのため座位を保持できない場合がある。
【発明の開示】
【発明が解決しようとする課題】
【０００３】本発明は床面に足を垂れ下げた腰掛状態になるベッドにおいて座位の状態で、病弱者が座位保守を出来、立ち上がり、つかまり立ちができる手摺を提供することを課題としている。
【課題を解決するための手段】
【０００４】〔図１〕正面図〔図２〕平面図に病弱者がベッドの上面に仰臥位の状態を示す。〔図３〕正面図〔図４〕平面図に病弱者が腰掛け状態になったベッドで座位の状態を示す。〔図５〕正面図〔図６〕平面図に病弱者が腰掛け状態になったベッドで掴まり立ちの状態を示す。
本発明は上記課題を解決するために人体の肩幅位置に手摺（１）に取付けまたは枢着して回転する。人体の背中の位置まである手摺（２）を設けることも特徴とした手摺。【０００５】手摺（１）に人体の足側に取付け又は収納して伸長する手摺（３）を設けることを特徴とした手摺。
【発明の効果】
【０００６】以上のように本発明にかかる手摺は、床面に足を垂れ下げた腰掛状態になるベッドにおいて病弱者の歩行前訓練、座位保持、立上がり、つかまり立ちが出来る効果がある。
【発明を実施するための最良の形態】
【０００７】床面に足を垂れ下げた腰掛状態になるベッドにおいて座位の状態で、まずベッドの両側フレームに取り付けられた手摺に人体の肩幅かつ背中の位置までの手摺（２）を取付けまたは内蔵し病弱者が手摺を掴める様にし、座位保守、立ち上りが出来る。【０００８】床面に足を垂れ下げた腰掛状態になるベッドにおいて座位の状態から、ベッドの両側フレームに取り付けられた手摺に人体の足側の手摺を取り付け、または伸張させ病弱者がつかまり立ちが出来る。
【実施例】
【０００９】以下本発明の実施例について図面に基づき一例を説明する。【００１０】〔図１〕正面図〔図２〕平面図に病弱者がベッドの上面に仰臥位の状態を示す。手摺（２）手摺（３）は手摺（１）に収納されている。
〔図３〕正面図〔図４〕平面図に病弱者が腰掛け状態になったベッドで座位の状態を示す。手摺（２）は手摺（１）から張り出した様になり手摺（３）は手摺（１）に収納されている。【００１１】〔図５〕正面図〔図６〕平面図に病弱者が腰掛け状態になったベッドでつかまり立ち状態を示す。
手摺（２）は手摺（１）から張り出したようになり手摺（３）は手摺（１）より伸長している。【００１２】  図には示していないが、手摺（１）と手摺（２）手摺（３）が一体の形状の手摺、手摺（１）に手摺（３）がヒンジで折れて収納する手摺もできる。
【図面の簡単な説明】
【００１３】
【図１】  病弱者がベッドの上面に仰臥位の状態を示す本発明の正面図である。
【図２】  病弱者がベッドの上面に仰臥位の状態を示す本発明の平面図である。
【図３】  病弱者が腰掛け状態になったベッドで座位の状態を示す本発明の正面図である。
【図４】  病弱者が腰掛け状態になったベッドで座位の状態を示す本発明の平面図である。
【図５】  病弱者が腰掛け状態になったベッドで立上がりの状態を示す発明の正面図である。
【図６】  病弱者が腰掛け状態になったベッドで立上がりの状態を示す発明の平面図である。
【図７】  病弱者が腰掛け状態になったベッドでつかまり立ちの状態を示す本発明の正面図である。
【図８】  病弱者が腰掛け状態になったベッドでつかまり立ちの状態を示す本発明の平面図である。
【図９】  病弱者が腰掛け状態になったベッドで座位の状態を示す本発明の斜視図である。
【符号の説明】
【００１４】（１）手摺
（２）手摺
（３）手摺
（４）人体
（５）ベッド本体
【図１】
2006130249.tif 000003
【図２】
2006130249.tif 000004
【図３】
2006130249.tif 000005
【図４】
2006130249.tif 000006
【図５】
2006130249.tif 000007
【図６】
2006130249.tif 000008
【図７】
2006130249.tif 000009
【図８】
2006130249.tif 000010
【図９】
2006130249.tif 000011
(57)【要約】【課題】従来の譜面台用補助棚に携帯型録音機を置くと、棚がほゞ水平面であるため落下しやすく、叉補助棚そのものが譜面台の戴置台の横板部に嵌めているため脱落しやすい。  本発明は、そのような不具合を解消する譜面台への携帯型録音機取付具を提供することを課題とする。【解決手段】楽譜の戴置台（３）が縦板部（３ａ）と横板部（３ｂ）からなるアングル部材でできている譜面台（１）の、前記戴置台（３）に携帯型録音機（４）を取り付けるための取付具（２）であって、前記縦板部（３ａ）に上から嵌合する断面Ｕ字形の掛止部（５）と、携帯型録音機（４）を上から嵌合してこれを保持する断面Ｕ字形の保持部（６）と、前記掛止部（５）と保持部（６）を一体に連結する連結部（７）とから構成されている。【選択図】図１
2006130245.tif 000002
【特許請求の範囲】
【請求項１】
楽譜の戴置台が縦板部と横板部からなるアングル部材でできている譜面台の、前記戴置台に携帯型録音機を取り付けるための取付具であって、前記縦板部に上から嵌合する断面Ｕ字形の掛止部と、携帯型録音機を上から嵌合してこれを保持する断面Ｕ字形の保持部と、前記掛止部と保持部を一体に連結する連結部とよりなる、譜面台への携帯型録音機取付具。
【発明の詳細な説明】
【技術分野】
【０００１】  本発明は、器楽合奏や練習時に録音を必要とする際、携帯型録音機を譜面台に取り付けるための録音機取付具に関する。
【背景技術】
【０００２】  近年、録音機例えばＭＤ（ミニディスク）レコーダ等小型化され、携帯しての録音作業が便利になった。器楽演奏や練習で録音を必要とする際、録音機は演奏者の足元床面に置くか、ポケットの中に入れ必要なとき取り出していた。足元に録音機を置いた場合、誤って踏みつけたり蹴飛ばしたりし損傷の原因にもなり叉ポケットの中に録音機を入れた場合、取り出すのに手間取り、スイッチ操作が迅速にできなかった。【０００３】  また、従来の録音機取付具としては、図４、５に示すように、アングル部材からなる楽譜の戴置台１１の横板部１１ａにその前側から嵌める断面Ｕ字型の掛止部１２と、これに取り付けた断面Ｌ字型の棚１３とより構成した、小物を載せる補助棚Ｈがある（特許文献１参照）。【０００４】
【特許文献１】  特開２００２−３２８６７５号公報
【発明の開示】
【発明が解決しようとする課題】
【０００５】  しかし、この補助棚Ｈは、戴置台１１への取り付け状態においては、小物を載せる棚１３がほゞ水平面となるため、載せたものが落ちやすく、係止部１２が戴置台１１の横板部１１ａにその前側から嵌める構成となっているので、戴置台１１から外れて落下しやすい。
【課題を解決するための手段】
【０００６】  本発明は、このような従来の問題点を解決するためになされたもので、楽譜の戴置台が縦板部と横板部からなるアングル部材でできている譜面台の前記戴置台に携帯型録音機を取り付けるための取付具であって、前記縦板部に嵌合する断面Ｕ字形の掛止部と、携帯型録音機を上から嵌合してこれを保持する断面Ｕ字形の保持部と、前記掛止部と保持部を一体に連結する連結部とよりなるものである。
【発明の効果】
【０００７】  本発明の、取付具は、係止部をアングル部材の縦板部に上から嵌めて取り付けるので、アングル部材から外れて落下するおそれがない。叉携帯型録音機は保持部に上から嵌めて保持するので、落下しにくい。このため、演奏中楽譜のページをめくる度に、録音機が落下しないか注意する必要が無く、安心して演奏に集中できる。
【発明を実施するための最良の形態】
【０００８】  以下、本発明の実施の形態を実施例によって図１〜図５を参照しながら説明する。【０００９】  図において、１は譜面台、２はこの譜面台１に取り付ける携帯型録音機取付具である。この取付具２は、譜面台１の楽譜の戴置部３の縦板部３ａに上から嵌合する断面Ｕ字形の掛止部５と、携帯型録音機４を上から嵌合してこれを保持する断面Ｕ字形の保持部６と、前記掛止部５と保持部６を一体に連結する連結部７とより構成されている。
係止部５は、縦板部３ａに丁度嵌まる大きさに形成されている。保持部６は、携帯型録音機４が丁度はまる大きさに形成されている。【００１０】  取付具は上述のような構成になっているので、これを戴置部３に取り付けるときは、次の要領で行う。
（１）取付具２を、その掛止部５を縦板部３ａに上から嵌めて戴置部３に取り付ける。
（２）次に、取付具２の保持部６に録音機４を上から嵌めて取り付ける。
以上のような構造で、以上のような手順で取り付けるので、取付具は一旦取り付けると落下するおそれがない。叉携帯型録音機は上から嵌めて保持するので、落下するおそれはない。このため、演奏中楽譜のページをめくる度に、録音機が落下しないか注意する必要が無く、安心して演奏に集中できる。
【図面の簡単な説明】
【００１１】
【図１】実施例の譜面台への携帯型録音機取付具の使用状態を示す斜視図である。
【図２】実施例の譜面台への携帯型録音機取付具の右側面図である。
【図３】実施例の譜面台への携帯型録音機取付具に録音機を取り付けた状態を示す斜視図である。
【図４】従来の補助棚の斜視図である。
【図５】図４の補助棚を譜面台へ取り付け状態を示す側面図である。
【符号の説明】
【００１２】１    譜面台
２    取付具
３    戴置部
３ａ  縦板部
３ｂ  横板部
４    携帯型録音機
５    掛止部
６    保持部
７    連結部
【図１】
2006130245.tif 000003
【図２】
2006130245.tif 000004
【図３】
2006130245.tif 000005
【図４】
2006130245.tif 000006
【図５】
2006130245.tif 000007
(57)【要約】【課題】  マスクのズレを直す時に呼気、吸気等のために汚染されてしまった本体１を掴んで直すことは大変不衛生であるため衛生的に使用できるマスクを提供する。【解決手段】  本体１の両サイドに汚染されていない部位を持ち手部３として確保することによりマスクから手への汚染を防ぐ事ができる。【選択図】  図１
2006130256.tif 000002
【特許請求の範囲】
【請求項１】
一般及び業務（医療用含む）に用いられるマスクに、持ち手部を設けたことを特徴とする衛生的に使用できる持ち手部付きマスク。
【発明の詳細な説明】
【技術分野】
【０００１】  この発明は、一般及び業務（医療用含む）に用いられるマスクの形状に関する。
【背景技術】
【０００２】  従来、一般及び業務（医療用含む）に用いるマスクの形状は、マスクの本体の両サイドに着用用のゴムヒモが設けられただけのものである。
【発明の開示】
【発明が解決しようとする課題】
【０００３】  しかしながら以上の形状によれば、マスクは着用した瞬間から内側は唾液や痰などにより汚染され外側は吸気による吸着などから汚染されてしまうため、マスクのズレなどを直す時に本体１を掴む事は大変不衛生であった。
そこで、この発明は、汚染されていない部位を持ち手部３として確保する事によって衛生的に使用できるマスクを提供することを課題とする。
【課題を解決するための手段】
【０００４】  以上の課題を解決するために、通常のマスクに持ち手部を設けたことを特徴とする衛生的に使用できるマスクである。
【発明の効果】
【０００５】  マスクに持ち手部を設けたので、マスクのズレを直す時に汚染されている本体１には触れずにすむのでマスクからの汚染を防ぐ事ができ衛生的である。
【発明を実施するための最良の形態】
【０００６】  この発明の一実施形態を、図１に示す。
マスクの本体１の両サイド表面に翼状の持ち手部３が設けられている。【０００７】「実施形態の効果」
この実施形態によれば、持ち手３の働きで、汚染されている本体１に触れることなくマスクのズレを直すことが出来る。したがって、マスクから手への汚染を防ぐ事ができ衛生的である。【０００８】「他の実施形態」
図１の実施形態では、持ち手部は両サイドの表面に設けられていたが、他の実施形態では、持ち手部を設ける場所は汚染されていない部位として確保できる場所であればかまわない。また持ち手部の材質・形状にはこだわらない。
【図面の簡単な説明】
【０００９】
【図１】  この発明の一実施形態を示す正面図である。
【符号の説明】
【００１０】  １  マスクの本体          ２  ゴムヒモ
３  持ち手部
【図１】
2006130256.tif 000003
(57)【要約】【課題】  バッグ、かばん等を汚れている道路上、あるいは床、電車内の床等に置いても、バッグ、かばんの底の汚れを防止でき、しかも後付ができる３本足フート・ネジ式ギボシと底板を提供する。【解決手段】  バッグ、かばんの内部に四隅に小さな穴が明いた底板を挿入し、底板の四隅の穴に目打ちでバッグ、かばんに穴をあけ、外側からフート・ネジ式ギボシを挿入してバッグと底板を一緒に止める。フートは３本の足を各々直角に折り曲げる、又ネジ式ギボシは回して止める、そして防水加工の接着テープで抑えることを特徴とするバッグ、かばんの底面部後付汚れ防止フート・ネジ式ギボシと底板。【選択図】  図１
2006130252.tif 000002
【特許請求の範囲】
【請求項１】
バッグ、かばんの底と内部底板を一緒に穴をあけ、後付けで３本足のフート、あるいはネジ式ギボシを取り付けた、バッグ、かばんの底面部後付汚れ防止フート・ネジ式ギボシと底板。
【請求項２】
バッグ、かばんに後付けでフート又はネジ式ギボシを取り付け出来るきることを特徴とする請求項１記載のバッグ、かばんの底面部後付汚れ防止フート・ネジ式ギボシと底板。
【請求項３】
３本足のフートは金属、非金属、樹脂で製作し、樹脂にはトルマリンを混入し、抗菌性、殺菌性を持たせた請求項１〜２記載のバッグ、かばんの底面部後付汚れ防止フート・ネジ式ギボシと底板。
【発明の詳細な説明】
【技術分野】
【０００１】  本発明は、バッグ、かばん等を不潔な道路、床等に置いた際の底の汚れを防止する、後付けのフート・ネジ式ギボシと底板に関するものである。
【背景の技術】
【０００２】  従来、旅行用バッグ、スーツケース等にはフートは購入時から取り付けて販売されているが、腕で抱えるバッグ、手で持つかばん等はフート・ネジ式ギボシが取り付けておらず、不潔な道路上・床に置く時は、バッグ、かばんの底が汚れ好ましくなかった。
【発明の開示】
【発明が解決しようとする課題】
【０００３】  それには次のような問題点があった。
（イ）バッグ、かばん等を道路上、あるいは床に置くときバッグ、かばんの底が汚れ、衛生的でなく不潔であった。
（ロ）バッグ、かばん等は必ず道路上あるいは床等に置ことが多いが、その対策はなされてなかった。
（ハ）バッグ、かばんに簡単に後付け出来る部品がなかった。
本発明は、以上のような問題点を解決するためのものである。
【問題を解決するための手段】
【０００４】  バッグ、かばん（１）等の内側内部に底板（２）を設け、バッグ、かばんの外側底部四隅に４個の穴（３）をあけ、３本の足のついたフート、又はネジ式ギボシ（４）等で外側から止めることにより、後付け可能なことを特徴とするバッグ、かばんの底面部後付け汚れ防止フー・ネジ式ギボシと底板である。
【発明の効果】
【０００５】  不潔な道路上、汚れた床・電車の床等にバッグ、かばんをじかに置く事が多いが、フートあるいはギボシを取り付けることでバッグ、かばんの底が高くなり底部全面が汚れない効果が期待できる。
【発明を解決するための最良の形態】
【０００６】  以下、本発明の実施の形態を説明する。
（イ）バッグ、またはかばん（１）の中に挿入する底板（２）を設ける。
（ロ）底板（２）の四隅に小さな穴（３）を設ける・
（ハ）３本足のついたフート又はネジ式ギボシ（４）を設ける。
（ニ）バッグ、又はかばん（１）の底から３本足のついたフート、あるいはネジ式ギボシ（４）をバッグ、かばんの中に挿入された底板の四隅の穴に挿入する。
（ホ）３本足のフートの足をおりまげる、又はネジ式ギボシでとめる。
（ヘ）折り曲げた３本足を防水加工の接着テープで抑える。
（ト）材質は金属、非金属、樹脂を使用し、樹脂にはトルマリンを混入した。
本発明は、以上のような構成よりなっている。
これを使用する時は、バッグ又はかばん（１）の中に底板（２）を挿入し、バッグ、又はかばんの底板の穴に合わせて小さな穴（３）を四隅にあけ、３本足のフート、あるいはネジ式ギボシ（４）を挿入してセットする。これによりバッグ又はかばんの底は、高くなり、直接道路面、不潔な床面に触れず、極めて清潔になる。
【図面の簡単な説明】
【０００７】
【図１】  本発明の３本足のフート正面図である。
【図２】  本発明の３本足のフートの足を折り曲げた平面図である。
【図３】  本発明のフートの折り曲げた足に防水加工の接着テープ貼った図である。
【図４】  本発明のネジ式ギボシの例である。
【図５】  本発明の他のネジ式ギボシの例である
【図６】  本発明の底板の斜視図である
【図７】  本発明の斜視図である。
【符号の説明】
【０００８】    １  バッグ・かばん
２  底板
３  小さな穴
４  ３本足のフート・ネジ式ギボシ
５  防水加工の接着テープ
【図１】
2006130252.tif 000003
【図２】
2006130252.tif 000004
【図３】
2006130252.tif 000005
【図４】
2006130252.tif 000006
【図５】
2006130252.tif 000007
【図６】
2006130252.tif 000008
【図７】
2006130252.tif 000009
(57)【要約】      （修正有）【課題】電気毛布を使用する場合に，捲れ上がって揉みくちゃ団子にならないようにする為の電気毛布同色用布団カバーを提供する。【解決手段】布団カバーを上・下二枚に分離しその間に電気毛布と布団を重ねて挟んで包み綴じる為に，上布と下布の片横側は接続し，他方の横側から上側と下側とにファスナーで明け綴じができるようにする。又上布・下布の四隅に紐を設けて布団・電気毛布を固定する。【選択図】なし【特許請求の範囲】
【請求項１】
電気毛布を使用する場合に、捲れ上がって揉みくちゃ団子に成らないようにして寝れるようにする為に、電気毛布を厚い掛け布団や敷き布団と友に布団カバーに包んで布団の厚さから生じる低柔軟性を利用してそれを防止したい。
その場合、簡単便利に包めるようにする為に、各種の袋式カバーを上側下側の二枚に分離してその間に電気毛布の上に布団を重ねて挟んで包み綴じて、勿論その綴じ目から電気コードが出せるようにしたい。
その綴じ方であるが、
▲１▼  ファスナーでは、上布と下布の片横側は接続して他方の横側から上側とそして下側とに向かって２個のスライダーで以て明け綴じでき、勿論、それらスライサーの間から電気コードが出せるようにする。
▲２▼  紐では、上布と下布のそれぞれの四隅に、そしてそれを補うように必要なその他の所に適当に紐を設けて、勿論、結び綴じ解き明けうるようにする。
▲３▼  また、面ファスナーでは、下布の四隅に、そしてそれを補強するに必要なその他の所に面ファスナー用の紐を設けてそれに、また上布には直に、対になるように面ファスナーを設けて、明け綴じが出来るようにする。
などにして、明け綴じできるようにしたい。
以上のように構成された、掛け布団用あるいは敷き布団用の「電気毛布同包用布団カバー」。
【請求項２】
「請求項１」における「電気毛布同包用布団カバー」と同じ包み方の即ち「請求項１」における▲１▼から▲３▼までの何れかの綴じ方で以て綴じ明けの出来るようにした、掛け布団用あるいは敷き布団用の「布団カバー」。
【請求項３】
「請求項１」における「電気毛布同包用布団カバー」における「電気毛布」を包み易くする為に亦褥を暖かくする為にも、二枚の毛布を重ねて或いは毛布と布を重ねてその間に電気毛布を挟んで使用できる物がほしい。
その包み方としては、「請求項１」における▲１▼から▲３▼までの何れかの綴じ方で以て綴じ明けの出来るようにした、「電気毛布挟包用毛布」。
【請求項４】
「請求項１」における「電気毛布同包用布団カバー」と同じく電気毛布を布団と友に包む一枚式の掛け布団用あるいは敷き布団用のカバーとして、その一枚の布で布団を風呂敷包みするように包むものであるが、結ぶのでは無く、表に折り返したその包布の四隅の三角形で以て中抜きに覆うように裁断し、その表裁断されて梯形と成ったその４梯形の両側の縁を、「請求項１」における▲１▼から▲３▼までの綴じ方の何れかで以て綴じ明け出来るようにした、掛け布団用あるいは敷き布団用の「一枚式電気毛布同包用布団カバー」。
【請求項５】
「請求項４］における「一枚式電気毛布同包用布団カバー」と同じ方法に則ってする掛け布団用あるいは敷き布団用の「一枚式布団カバー」。
【発明の詳細な説明】
【発明の詳細な説明】
私は、電気毛布を使用し出して、もう３０年くらいも経つ。その間、厚い布団を被る場合のように、身体の上を平らに覆っていたことが無い。唾眠中も相当激しく寝返りなど運動すると見えて、少し寒くなって目を覚まして見ると、電気毛布と言わず毛布と言うものは、全て捲れ上がったり団子になったりする。
長い間、これをすっきり防止する何か良い対策はないかと考えて来た。最初は、毛布を二重にしてその中に挟むことを発明した。試しては見なかったが、上等の二重毛布を使用して見ると、厚い毛布でも布団の下では、捲れ上がって仕舞うので、これでは不十分なことが判って来た。
それではと、布団は捲れたり団子に成らないので、これを利用して布団と一緒にカバーに包んで使用することを考えた。片側を明けて布団を入れるようにした袋状カバーを用いて試して見ると、一晩でも可なりカバーの中で団子になるし、二三日では団子になって使えなくなる。これは、毎晩直すに便利にしなくは成らないと、袋式のカバーの上下が別々に剥がれ離れるか或いは剥がしても片側では繋がって居るものを考案した。こうして、最終案的な物を「平成１５年７月２３日提出の手続補正書（特２００２−３８２０６９、掛け布団・電気毛布重ね入れ用包布）」において、纏めているが、これらは全てファスナーを用いて上下の布をかがり合わせる物であった。
しかし、また、よく考えて見ると、そのかがり合わせはファスナーで無くても紐で行なっても宜しいことに気づいた。そこで改めて、ここに、それらを纏めて出願することにする。
なお、電気毛布は一般に普通の毛布よりは薄い物なので、上に述べたように、それを二枚の毛布の間か毛布と布の間かに挟めるようにした物を用いて、電気毛布を厚くして褥を豊かにすることも良案のように思える。
昨年の晩秋には、電気毛布は、電気店には少なく、これはと言う物は無かった。しかし、今晩秋は、代わり映えした物は無いは言え、多くのメーカーから可なりな物が多く出品されている。
早く縫製して、皆さんに暖かい褥を楽しんで貰おうと努力して来たが、小泉首相自らまでも私の発明の事業化に全て妨害活動をしているように思われ、どこへ商売に出掛けてもそこが正常な状態に無い。
毎日、私を頭脳探知電磁波で以て覗いては、私の考えを頼りに政治を行なって居るらしいのであるが、それを続ける為に、私に窃盗や危害や又家屋や車などの破壊を繰り返させ、また起業の妨害をして来たらしい。その為には、膨大な買収費を必要とするが、その捻出に私の発明を大企業に盗ませて居るようで、とてもでは無いが、法秩序の発達した現代からは、遠い幻想の世界を毎日押しつけられているようで、邪魔だから彼ら紐には言葉で応戦はしているが信じ難い現象である。一般国民が斯かる特許出願をすることに嫉妬させられて平常心を失わないように常に努力し、彼らの反社会的存在を糾弾し続けてほしい。
(57)【要約】【課題】  顔に対する鏡や照明の位置決めが難しく、片手がふさがってしまうことがある。【解決手段】  片方に頭や腕にはめるための枠、もう片方に鏡もしくは鏡を固定するための留め具を形成したアームを使用することで、手をふさぐことなく、顔の近くで容易に鏡の位置、角度を変えることが出来る。また照明に対する位置も容易に変えられる。【選択図】  図１
2006130259.tif 000002
【特許請求の範囲】
【請求項１】
アームの一端に鏡が付いており、もう一端に、頭や腕に取り付けるための枠が付いていることを特徴とする鏡。
【請求項２】
一端に鏡を取り付けるための留め具が付いており、もう一端に、頭や腕に取り付けるための枠が付いていることを特徴とするアーム。
【発明の詳細な説明】
【発明の詳細な説明】
【技術分野】
【００１】この発明は、頭や腕に取り付けることの出来るアームを持つ鏡およびそのアームに関するものである。
【背景技術】
【００２】従来、鏡には手で持つための柄がある手鏡や、家具としての鏡台、またはスタンド付きの自立する鏡があった。
【発明の開示】
【発明が解決しようとする課題】
【００３】従来の鏡で化粧等をしようとした時、鏡に写す像が鮮明に見える様に、顔にあてる照明の位置、顔に対する鏡の角度・位置が重要である。しかし鏡台は一度設置するとその位置を頻繁に変えることは困難であり、また鏡の角度は一定の方向にしか変えることは出来ない。手鏡は鏡台よりも顔への照明や顔に対する位置を変えることが容易であるが、鏡を持つため、片手がふさがってしまう。スタンド付きの鏡も、鏡の位置が置く場所によって決まってしまう。さらに化粧をする際は眼鏡を外すため、視力が低下している場合、顔を鏡のすぐ近くまで近づけることがしばしば発生するが、鏡台やスタンド付き鏡では近づけることが困難であったり、照明が暗くなったりする。
本発明ではこれら
（イ）鏡の顔や照明に対する位置決めが困難。
（ロ）鏡を持つことで片手がふさがってしまう。
という課題を解決する。
【課題を解決するための手段】
【００４】鏡の一部にアームを取り付け、そのアームのもう片方に、頭や腕に取り付けるための枠を設ける。または、アームの一方に頭や腕に取り付けるための枠を付け、もう一方に鏡を取り付けるためのクリップ等留め具を取り付ける。
【発明を実施するための最良の形態】
【００５】  以下、本発明の実施の形態を説明する。
図１は本発明品の斜視図である。また図２は、本発明のその他の形態の斜視図である。また図３は本発明の実施例である。
図１では、鏡（１）がアーム（２）により、枠（３）に接続されている。アーム（３）は自在に曲げることが出来る構造となっている。図２ではアーム（３）には頭や腕に固定するための枠（３）と、鏡を固定するための留め具（４）が付けられている。
上記構成のアーム（２）は、枠（３）により例えば頭にはめることにより、両手をふさぐことなく鏡（１）を顔の近くに置くことができる。さらには照明に対する位置は本人が移動することで簡単に変えることが出来る。
【発明の効果】
【００６】  本発明を使用することにより、鏡を顔のすぐ近くに置くことが出来、また鏡の位置、角度を自由に変えることができる。その際、両手をふさぐことなく、また、照明に対する位置を簡単に変えることが出来るので、化粧の際顔を鏡で見やすくすることが容易に出来る。
なお、この発明は、頭にはめるアームだけでなく、腕や肩にはめる、もしくは耳にかける形状のアームにも適用される。また使用する鏡も平面のみでなく曲面や、複数の鏡を角度をつけて屏風状にしたものでもよい。
【図面の簡単な説明】
【図１】本発明の斜視図１
【図２】本発明の斜視図２
【図３】本発明の使用状態を示す斜視図
【符号の説明】
１  鏡
２  アーム
３  枠
４  留め具
【図１】
2006130259.tif 000003
【図２】
2006130259.tif 000004
【図３】
2006130259.tif 000005
(57)【要約】【課題】  鍋や電気調理器等蓋の取っ手は、指でつまみ持ち上げるだけの支持具であった。この為、調理中の熱い蓋を引っくり返し調理台等に置く事が困難な物であった為、蓋を引っくり返し台等に簡単に置く事の出来る支持具を提供したい。【解決手段】  蓋の取っ手を２段の皿状にし上下の皿の連結部分の幹３を指の間で挟んで手で持てる２の支持具で蓋を引っくり返し調理台等に置く為の上部１の皿状支持具を台等に安定しておける大きめの皿状にした蓋の取っ手を考案した。【選択図】図１
2006130251.tif 000002
【特許請求の範囲】
【請求項１】
指に挟み手で持てる２段の皿状支持具を持つ鍋及び電気調理器具等の鍋蓋取っ手。
【発明の詳細な説明】
【技術分野】
【０００１】  Ａ４７Ｊ  ４５／１０
【背景技術】
【０００２】  従来の鍋、及び電気等  調理器具の蓋の取っ手は蓋を持つだけの支持具であった為、蓋を引っくり返し台等に置く事は困難であった。
【発明の開示】
【発明が解決しようとする課題】
【０００３】  鍋や電気等調理器具等の蓋の取っ手は、指でつまみ持ち上げるだけの支持具であった。この為、調理中の熱い蓋を引っくり返し調理台等に置く事が困難な物であった為、蓋を引っくり返し台等に簡単に置く事の出来る支持具を提供したい。
【課題を解決するための手段】
【０００４】  蓋の取っ手を２段の皿状にし上下の皿の連結部分の幹３を指の間で挟んで手で持てる２の支持具で蓋を引っくり返し調理台に置く為の上部１の皿状部分を台等に安定しておける大きめの皿状にした蓋の取っ手を考案した。
【発明の効果】
【０００５】  本発明の効果により、上下の皿状の連結部、幹部分を指で挟み手でつかむ事により、台等に引っくり返し置く部分の皿状支持具が手をホールドするように下部に出来る為、手が蓋を置く設置部に干渉しない、更に蓋を逆さにして置いても安定して置ける支持具部分が発生する効果により簡単、安全に蓋を逆さに置く事を可能にした。
【発明を実施する為の最良の形態】
【０００６】  蓋の取っての材料は、調理中にあまり熱くならないものが良い為、プラスチック等様々考えられる。又、取っ手のサイズや形も蓋の大きさ、重さ等考えられる為、各形、サイズが考えられるが、皿状の部分は、円形が効率よい。又上下の皿状支持具の連結部の幹部分は指に挟む事を考えると、あまり太くないほうが良いが細すぎると持つためには安定が悪い。又、逆さにし置く為の皿状支持具１の上部に菜箸やお玉を置く為の切れ込み溝を設けると更に便利である。
【産業上の利用可能性】
【０００７】  本考案は、鍋の蓋の取っ手を、蓋を持ち上げる為の取っ手ではなく、持ち上げ且つ逆さに引っくり返し、簡単に置く事が可能な取っ手である為、今までの蓋、取っ手の不具合を解消している為、大変利便性が良い。
【図面の簡単な説明】
【０００８】
【図１】    本考案の平面図である。
【図２】    本考案の正面図である。
【図３】    本考案の斜面図である。
【符号の説明】
【０００９】１  ２段の内の上部皿状支持具である。
２  ２段の内の下部皿状支持具である。
３  皿状支持具連結部幹部分である。
４  鍋の蓋である。
【図１】
2006130251.tif 000003
【図２】
2006130251.tif 000004
【図３】
2006130251.tif 000005
(57)【要約】【課題】  双眼鏡、カメラ等を持って移動する際に、ストラップの荷重が首にかかり、圧迫感、不快感を与えるという不都合、さらに、ストラップ単独で使用する際に、手元の操作で速やかに着脱できないという、従来の工夫の不都合を併せて解決することを課題とする。【解決手段】  リュックサックのショルダーベルトに、双眼鏡、カメラ等のストラップを、バックル等のジョイントで着脱のできる連結具で吊り下げることにより、課題を解決する。【選択図】  図１
2006130264.tif 000002
【特許請求の範囲】
【請求項１】
リュックサックのショルダーベルトに取り付ける、長さ調整の可能な固定テープと、ワンタッチで着脱できるバックル等のジョイントと、ストラップに任意の位置で取り付ける固定テープで構成される、ストラップをショルダーベルトに吊り下げる連結具。
【発明の詳細な説明】
【技術分野】
【０００１】  本発明は、双眼鏡、カメラ等を持って移動する際に、首にかかるストラップの荷重、圧迫感をなくすため、リュックサックのショルダーのベルトにストラップを吊り下げる着脱式の連結具に関するものである。
【背景技術】
【０００２】  ストラップの荷重が首にかからない様に工夫したものは従来からあるが、手元でワンタッチで速やかに着脱でき、左右均等に安定性よく確実にセットできるものはないと思われる。
【発明の開示】
【発明が解決しようとする課題】
【０００３】  双眼鏡、カメラ等を持って移動する際に、ストラップの荷重が首にかかり、圧迫感、不快感を与えるという不都合を解決することを課題とする。
さらに、ストラップとして単独で使用する際に、手元の操作で速やかに着脱できないという、従来の工夫の不都合を併せて解決することを課題とする。
【課題を解決するための手段】
【０００４】  リュックサックのショルダーベルトに、双眼鏡、カメラ等のストラップを連結して吊り下げることにより、また、バックルでのワンタッチ着脱により、課題を解決する。
【発明の効果】
【０００５】  通常のストラップとして利用しながら、移動時に、双眼鏡、カメラ等のストラップの荷重が首にかからず、着脱も手元でワンタッチで操作できる。また、左右均等に安定性よく確実にセットできる。
【発明を実施するための最良の形態】
【０００６】  図１は、双眼鏡のストラップ（８）を連結具（１）により、リュックサックのショルダーベルト（７）に取り付けたものを示している。
ストラップ（８）の荷重はショルダーベルト（７）にかかり、首にはかからない。【０００７】  図２は、取り付けの詳細を示したものである。
リュックサックのショルダーベルト（７）に、ジョイント（４）の片方を付けた長さの調整可能な固定テープ（２）をクリップ（３）で固定する。双眼鏡やカメラ等のストラップ（８）に、ジョイント（４）のもう一方を付けた固定テープ（５）をクリップ（６）で固定する。リュックサックを着用した後、ジョイント（４）を繋ぎ、双眼鏡やカメラ等の加重が首にかからない様に、固定テープ（２）の長さ、クリップ（６）の取り付け位置を調整する。【０００８】  図３は、ショルダーベルトのリング（９）に固定テープ（２）を取り付け、ストラップ（８）に、クリップ（６）の代わりに、テープアジャスト（１０）で取り付けたものを示している。ストラップ（８）にかかる荷重が大きいときに使用する。
【実施例】
【０００９】  ジョイント（４）として、バックルの代わりにカラビナ、ナスカンとリングを用いることもできる。【００１０】  連結のためのテープの代わりにコードを用いることもできる。
【図面の簡単な説明】
【００１１】
【図１】  リュックサックへの連結具の取り付けを示した斜視図である。
【図２】  ショルダーベルト及びストラップへの取り付けの詳細を示した斜視図である。
【図３】  クリップ（３）の代わりにショルダーベルトのリング（９）、クリップ（６）の変わりにテープアジャスト（１０）を使用したものを示した斜視図である。
【符号の説明】
【００１２】  １  連結具
２  ショルダーベルト側固定テープ
３  ショルダーベルト側クリップ
４  ジョイント
５  ストラップ側固定テープ
６  ストラップ側クリップ
７  ショルダーベルト
８  ストラップ
９  ショルダーベルトのリング
１０  テープアジャスト
【図１】
2006130264.tif 000003
【図２】
2006130264.tif 000004
【図３】
2006130264.tif 000005
(57)【要約】【目的】人が睡眠中、枕が頭部から外れ離れるのを防止する器具を提供する。【構成】カバー（３）に、マジックテープ（２）を設け、カバー（６）にマジックテープ（５）を設ける。【選択図】図１
2006130262.tif 000002
【特許請求の範囲】
【請求項１】
カバー（３）に、マジックテープ（２）を設け、カバー（６）にマジックテープ（５）を設けた枕の外れ防止具。
【発明の詳細な説明】
【発明の詳細な説明】
【産業上の利用分野】
【０００１】この発明は、人が睡眠中、枕が頭部から外れ離れるのを防止するものに関するものである。
【背景技術】
【０００２】従来より、人が枕をして寝るときは、敷き布団の上に枕を置き睡眠をとる方法をとってきた。就寝中、気ずいた時は枕をしてないで、それが外れ離れていたということがある。
【発明が解決しようとする課題】
【０００３】１）睡眠中、意識しないで枕がはずれることがあるため、本来  快適な睡眠をとれるものが、とれないできてた。
本発明は、以上の欠点を解決するために発明されたものである。
【課題を解決するための手段】
【０００４】マジックテープ（２）が付いたカバー（３）を敷き布団（１）に覆う。そして、マジックテープ（５）が付いたカバー（６）を枕（４）に覆う。
それぞれカバー（３）・（６）のマジックテープ同士が重なりあうように置く。
本発明は、以上の構成よりなる寝具用枕の外れ防止具である。
【作用】
【０００５】本発明を使用するときは、敷き布団（１）の上に枕（６）をおくだけで、それぞれのマジックテープ（２）、（５）同士が付着し固定される。
したがって、枕（６）が敷き布団（１）からはずれ、離れることはない。
【実施例】
【０００６】以下、本発明の実施例をのべる。
（イ）    敷き布団（１）を覆うカバー（３）の面にマジックテープ（２）をつける。
（ロ）    枕（４）を覆うカバー（６）の面にマジックテープ（５）をつける。
本発明は以上の構成より成立っている。
本発明を使用するときは、敷き布団（１）の上に枕（４）をおくだけで、次のようにして枕（４）が敷き布団（１）に固定される。
寝具用の枕（４）を、マジックテープ（５）が設けられたカバー（６）の中にかぶせ入れ、敷き布団（１）には、これを覆うマジックテープ（２）が設けられたカバー（３）をかぶせ入れる。敷き布団（１）に覆われたカバー（３）の上に、枕（４）にかぶせられたカバー（６）を、マジックテープ（２）・（５）の面同士が重なり合うように置く。このとき、マジックテープ（２）・（５）は、それぞれが貼り付き合い、枕（４）が敷き布団（１）に固定される。また、取り外す場合には、枕（４）を剥がすようすれば容易に取り外すことができる。
【発明の効果】
【０００７】本発明を使用することによって、枕が就寝中に外れ、離れることがないので、これまでの睡眠時に枕を元位置に取り寄せる苦痛を解決する。
【図面の簡単な説明】
【図１】本発明の斜視図
【図２】本発明の分解斜視図
【図３】本発明の使用状態を示す斜視図
【図４】本発明の使用方法を示す斜視図
【符号の説明】
１  敷き布団
２  マジックテープ
３  カバー
４  枕
５  マジックテープ
６  カバー
【図１】
2006130262.tif 000003
【図２】
2006130262.tif 000004
【図３】
2006130262.tif 000005
【図４】
2006130262.tif 000006
(57)【要約】      （修正有）【課題】弁当、折詰等の入っている調味料小出し容器から、食品の汁、油等で指を汚すことなく、調味料を取り出すことが出来る調味料小出し容器を提供することを目的とする。【解決手段】調味料小出し容器に指を触れることなく、小出し容器の環の中に箸を差し入れて押し広げる事によって、円筒状突起部が開口部から外れ調味料を滴下させる。【選択図】図１
2006130261.tif 000002
【特許請求の範囲】
【請求項１】
調味料の小出し容器の本体（１）に調味料（醤油、ソ−ス、ポン酢等）を充填し、わ状の小出し容器の本体（１）の右端の円筒状突起（２）を本体（１）の左端の開口部（３）に挿入して調味料が漏れないように密封する。
この状態で弁当、折詰等の食物（主として副食物〕の中に入れておき、食事するに当たって、環状になった調味料小出し容器の環の中に箸をさしいれ、環を押し広げると、円筒状突起（２）が開口部（３）から外れ、食物に調味料を振りかけることが出来、食物の汁油等で指を汚す事無く調味料を使用することができることを特徴とし、箸を利用して使用するすべての調味料小出し容器。
【発明の詳細な説明】
【発明の詳細な説明】
【技術分野】
【０００１】  本発明は弁当、折詰等を使用する際、指を汚すことなく醤油、ソ−ス等の調味料を取り出すことができる調味料の小出し容器に関するものである。
【背景技術】
【０００２】  従来、弁当、折詰等の食物の中に入っている醤油、ソ−ス等の調味料の小出し容器を取出して調味料を食物に振り掛けようとする時に、小出し容器に付着している汁、油等で指が汚れるという欠点があった。
【発明が解決しようとする課題】
【０００３】  従来の調味料小出し容器は弁当、折詰等の食物（主として副食物）の中にいれてあり、食事に際しては小出し容器を指でつまんで取り出すために必ず指が汚れ、不快であった。
指を汚さないで調味料を取り出すことが望まれていた。
【課題を解決するための手段】
【０００４】  食事するに当たって環状の調味料小出し容器（１）の環の中に箸を差し入れて環を押し広げると円筒状突起（２）が開口部（３）から外れて食物の汁、油等で指を汚す事無く、食物に調味料を振りかけることが可能になる。
【発明の実地形態】
【０００５】  調味料が充填された小出し容器を弁当、折詰等の食物の中に入れておき、食事に際して、環状の調味料小出し容器（１）の環の中に箸をさし入れて環を押し広げると、円筒状突起（２）が開口部（３）から外れ、食物の汁、油等で指を汚すことなく調味料を振りかけることができる。
【図面の簡単な説明】
【０００６】
【図１】調味料小出し容器の仕上がり図
【図２】調味料小出し容器の密閉状態図
【図３】調味料小出し容器の正面横視図
【図４】調味料小出し容器の背面横視図
【図５】調味料小出し容器を密閉するための突起部と開校部の拡大図
【図６】密閉した調味料小出し容器の環の中に箸を差し入れて環を押し拡げようとしている状態を示す図
【図７】箸で調味料小出し容器を押し拡げ、調味料を取り出そうとしている状態を示す図
【符号の説明】
１    調味料小出し容器の環状本体
２    調味料小出し容器の円筒状突起部
３    調味料小出し容器の開口部
【図１】
2006130261.tif 000003
【図２】
2006130261.tif 000004
【図３】
2006130261.tif 000005
【図４】
2006130261.tif 000006
【図５】
2006130261.tif 000007
【図６】
2006130261.tif 000008
【図７】
2006130261.tif 000009
(57)【要約】【課題】従来の草履の鼻緒は着る衣装によって、衣装と調和する草履を選択していた。このため鼻緒の色、柄の違うものを複数揃える必要もあった。だれもが簡便に従来の草履に着脱が容易にできる鼻緒飾りを提供することである。【解決手段】従来の草履で衣装に調和する鼻緒飾りを使い、草履の鼻緒上面に鼻緒飾りをかぶせるようにして、鼻緒の前後に簡易に装着することができる。鼻緒飾りの前部は、緒に取付けたボタンで止め、後部は、鼻緒飾りの両端部に固定したバンドを鼻緒の内側へ巻きつけ平面ファスナーを重ねるように巻き固着する。【選択図】図３
2006130267.tif 000002
【特許請求の範囲】
【請求項１】
従来の草履の鼻緒上面に鼻緒飾りをかぶせ、鼻緒前部と後部で技術を要せず容易に鼻緒飾りを取り付けることを特徴とする鼻緒飾り。
【請求項２】
鼻緒飾りの前部取り付け方法は、ボタンに紐を通し輪状にした紐を、鼻緒前部の緒上部に取り付ける。草履の鼻緒上面に添って鼻緒飾りをおく。鼻緒飾りの前部の穴に緒に取り付けたボタンを通して止めることを特徴とする鼻緒飾り。
【請求項３】
鼻緒飾りの後部取り付けは、鼻緒飾りの後端部裏面に平面ファスナーを固着させ、この平面ファスナーを草履の鼻緒後部に巻き付けて止めることを特徴とする鼻緒飾り。
【発明の詳細な説明】
【技術分野】
【０００１】本発明は、草履の鼻緒飾りに関し、鼻緒上面に鼻緒飾りを容易に着脱することで、鼻緒上面の意匠を変えることができる鼻緒飾りに関する。
【背景技術】
【０００２】従来の草履は着る衣装によって鼻緒の色、柄を変えることができず、草履本体を履き替えていた。
【発明の開示】
【発明が解決しようとする課題】
【０００３】従来の草履は着る衣装によって衣装と調和する鼻緒の色、柄のみを替えることができず、草履本体を選んで履かなければならなかった。従来の草履本体をそのまま使い、衣装に合せて鼻緒飾りを鼻緒の上面に容易に取り付けることにより、簡易に着脱可能な鼻緒飾りを提供することを目的とする。
【課題を解決するための手段】
【０００４】本考案は従来の草履の鼻緒上面に鼻緒飾りをかぶせ、鼻緒前部と後部で技術を要せず容易に鼻緒飾りを取り付け、鼻緒の意匠を替えることができるることを特徴とする鼻緒飾り。【０００５】鼻緒飾りの前部取付け方法は、ボタンに紐を通し輪状にした紐を、鼻緒前部の緒上部に取り付ける。草履の鼻緒上面に添って鼻緒飾りをおく。鼻緒飾りの前部の穴に緒に取り付けたボタンを通して止めることを特徴とする鼻緒飾り。【０００６】鼻緒飾りの後部取付けは、鼻緒飾りの後端部裏面に平面ファスナーを固着させ、この平面ファスナーを草履の鼻緒後部に巻き付けて止めることを特徴とする鼻緒飾り。
【発明の効果】
【０００７】本考案の鼻緒飾りは従来の草履を使い、鼻緒上面の意匠を鼻緒飾りで簡易に着脱することができる。これにより従来和装等の衣装によって調和する草履を選択していたが、衣装と鼻緒飾の調和するものを選択し、草履自体の鼻緒の色、柄の意匠に関係なく、簡易に取り付けることにより衣装と履物の調和の取れた履物を容易に提供することができる。
【発明を実施するための最良の形態】
【０００８】以下、本発明の実施の形態を図に基づいて説明する。
【実施例】
【０００９】本考案の鼻緒飾りは図１の鼻緒飾り１を固定するバンド５ａ、５ｂをバンド中ほどで鼻緒飾り１のバンド固着部８ａ、８ｂに固着する。鼻緒飾り前部を固定する紐４の付いたボタン３で構成している。図２のボタン３と緒１１の装着は、ボタン３に紐４を通して輪状にしたものを緒１１に紐４を回して紐４の端部にボタン３をくぐらせ緒１１の上部位置でボタンを軽く引っ張りボタン３を固定する。【００１０】鼻緒飾り１の前部固定は図３の鼻緒飾り１を鼻緒１０の上面に添うように置き、前部の装着は鼻緒飾り１のボタン穴２にボタン３を通して固定する。【００１１】鼻緒飾り１の後部固定は、図４の鼻緒飾り１の両端部に固定したバンド５ａ、５ｂを鼻緒１０の内側へ巻きつけ平面ファスナー６ａ、６ｂに平面ファスナー７ａ、７ｂを重ねるように巻き固着する。
【図面の簡単な説明】
【００１２】
【図１】鼻緒飾り構成の平面図
【図２】ボタンと紐を緒に取り付けを示す斜視図
【図３】鼻緒飾りを鼻緒に取り付けを示す斜視図
【図４】鼻緒飾り後部取り付けを示す斜視図
【符号の説明】
【００１３】１・・・・・・鼻緒飾り
２・・・・・・ボタン穴
３・・・・・・ボタン
４・・・・・・紐
５ａ・・・・・・バンド
５ｂ・・・・・・バンド
６ａ・・・・・・平面ファスナー
６ｂ・・・・・・平面ファスナー
７ａ・・・・・・平面ファスナー
７ｂ・・・・・・平面ファスナー
８ａ・・・・・・バンド固着部
８ｂ・・・・・・バンド固着部
９・・・・・・草履台
１０・・・・・・鼻緒
１１・・・・・・緒
【図１】
2006130267.tif 000003
【図２】
2006130267.tif 000004
【図３】
2006130267.tif 000005
【図４】
2006130267.tif 000006